(57)【要約】【課題】電飾看板用の放電灯照明装置の多くは、放電灯点灯用のインバータ部と放電灯のホルダーとフレームとがそれぞれ別体で構成されているものが主流で、電飾看板内に比較的自由に各構成部材を配置できる一方、それぞれを個別に取付るので面倒であった。【解決手段】放電灯点灯用インバータ回路基板１０を筒状ケース６に内蔵した放電灯照明装置の筒状ケース６の表面にフィン５及び／または凹形状１の溝を該筒状ケース６の長手方向に備えると共に放電灯を保持するホルダーを複数個有し、該ホルダーにより放電灯を保持する。【選択図】        図１
2006059738.tif 000002
【特許請求の範囲】
【請求項１】
放電灯点灯用インバータ回路基板を筒状ケースに内蔵した放電灯照明装置において、該筒状ケースは表面にフィン及び／または凹形状の溝を該筒状ケースの長手方向に備えると共に放電灯を保持するホルダーを複数個有し、該ホルダーにより放電灯を保持することを特徴とした放電灯照明装置。
【請求項２】
前記放電灯点灯用インバータ回路基板は周囲を絶縁シートで覆い、前記筒状ケースと絶縁したことを特徴とした請求項１記載の放電灯照明装置。  
【請求項３】
前記筒状ケースに内蔵する前記放電灯点灯用インバータ回路基板の幅は６０ミリ以下としたことしたことを特徴とした請求項１記載の放電灯照明装置。
【請求項４】
前記凹形状は、凹部の溝の開口部両辺からそれぞれリブ部を延出し凹部の内部にナット及び／またはボルトを設け、該ナット及び／またはボルトに対応するボルト及び／またはナットにより、放電灯ブラケット及び／または取付金具を前記筒状ケースに固定することを特徴とした請求項１から３記載の放電灯照明装置。
【請求項５】
前記筒状ケースの両端部は、それぞれ電線を挿通したシール部材及び端面覆い金具とにより密封されることを特徴とした請求項１記載の放電灯照明装置。
【請求項６】
前記筒状ケースは金属で構成したことを特徴とした請求項１から５記載の放電灯照明装置。
【発明の詳細な説明】
【技術分野】
【０００１】
この発明は、放電灯点灯用インバータ回路を内蔵した筒状ケースに放電灯を保持した一体型の放電灯照明装置に関するものである。
【背景技術】
【０００２】
登録実用新案第３０１２１３６号の図１には、放電灯の端子に接続するソケットを保持するフレームとブッシュの使用が示されており、意匠登録第１１５０２４６号の意匠に係る物品の説明及び意匠図面には、インバータ、配線を空洞体四角の内部に備えた放電灯照明装置が示されている。
【０００３】
ところで、この種の放電灯照明装置は、放電灯１３の保持にソケットを取付たフレームや、空洞四角のケースを使用して、放電灯照明装置を構成して壁面、電飾看板、ショーケース等に取付て用いられている。
【特許文献１】登録実用新案第３０１２１３６号
【特許文献２】意匠登録第１１５０２４６号
【発明の開示】
【発明が解決しようとする課題】
【０００４】
しかし、上述のフレームを用いた放電灯照明装置は、図９に示すように、フレーム１８の強度を確保し難い為、取付工事が難しく、強度を確保する為には重量の増加を招くという問題があり、また、空洞体四角のケースを用いた放電灯照明装置は、ケース本体の取付には特殊な形状と寸法とからなる専用の取付穴部を必要としていたため、汎用性が無く取付の自由度が得られないという課題があった。
【０００５】
ところで電飾看板用の放電灯照明装置の多くは、図１０に示すように放電灯点灯用のインバータ部１７と放電灯１３のホルダー１４とがそれぞれ別体で構成されているものが主流で、電飾看板の内部に別体で構成されたそれぞれを個別に、またはフレーム１８に放電灯点灯用のインバータ部１７を取付る等により、電飾看板内に比較的自由に各構成部材を配置できる一方、それぞれを個別に取付るので面倒であった。
【０００６】
更に、放電灯点灯用のインバータ部や力率を改善する昇圧チョッパ回路は動作時にスイッチング素子やトランスが発熱するため、放熱器を設けるなどの放熱対策が必要でコスト高を招いていた。
【０００７】
本発明は、この様な背景技術に存在する課題を解決した放電灯照明装置の提供を目的とするものである。
【課題を解決するための手段】
【０００８】
放電灯点灯用インバータ回路基板１０を筒状ケース６に内蔵した放電灯照明装置において、該筒状ケース６の表面にフィン５及び／または凹形状１の溝を該筒状ケース６の長手方向に備え、放電灯１３を保持するホルダー１４や取付金具４を該凹形状１の溝を利用して筒状ケース６の長手方向の何れの位置にも保持することができるようにする。
【０００９】
放電灯点灯用インバータ回路基板１０の周囲を熱伝導性に優れた絶縁シート１１で覆い、確実に筒状ケース６の内壁との絶縁を確保する。
【００１０】
筒状ケースに内蔵する前記放電灯点灯用インバータ回路基板の幅を６０ミリ以下とし、細長い基板形状としたことで発熱する部品を放電灯点灯用インバータ回路基板にほぼ一列に分散配置し、筒状ケースを介して放熱を行う。
【００１１】
凹形状１は、凹部の溝の開口部両辺からそれぞれリブ部ｒ１,ｒ２を延出し凹部の内部にナット２またはボルト３を設け、該ナット２またはボルト３に対応するボルト３またはナット２により、放電灯ホルダー１４及び／または取付金具４を前記筒状ケース６に固定させる。
【００１２】
筒状ケース６はホルダー１４や取付金具４を固定するために筒状ケース６の内部に通じるネジ穴を設けていないため、筒状ケース６の両端部をそれぞれ電線を挿通したシール部材１５及び端面覆い金具１６とにより容易に密封できる。
【００１３】
前記筒状ケースは金属で詳しくはアルミニウムの引抜材で構成する。
【発明の効果】
【００１４】
この様な本発明に係わる放電灯照明装置によれば、次のような顕著な効果を奏する。
【００１５】
（１）筒状ケースの表面にフィン及び／または凹形状の溝を筒状ケースの長手方向に備えることで放電灯を保持するホルダーや取付金具を凹形状の溝を利用して筒状ケースの長手方向の何れの位置にも保持することができ、また筒状ケースの複数の面にそれぞれ凹形状の溝を設ければ、それぞれの面でホルダーや取付金具を同様に保持することができるので設置の柔軟性、取付の容易性に貢献する。
【００１６】
（２）筒状ケースの表面にフィンや凹形状の溝を筒状ケースの長手方向に設けることで十分な放熱面積を確保した放熱性に優れたケースの内部に、発熱する部品をほぼ一列に分散配置した放電灯点灯用インバータ基板を実装することで、部分的に発熱が集中することのない放電灯照明装置が実現でき、高信頼性の確保、長寿命化に貢献する。
【００１７】
（３）筒状ケースの両端部をそれぞれ電線を挿通したシール部材及び端面覆い金具とにより容易に密封でき、防湿性の確保に貢献する。
【００１８】
（４）金属製の筒状ケースとすることで、放熱性、防湿性、機械的な強度、紫外線耐性に優れた筒状ケースの実現に貢献する。
【発明を実施するための最良の形態】
【００１９】
次に、本発明に係る最良の実施形態を挙げ、図面に基づき詳細に説明する。
【００２０】
先ず、本発明の理解を容易にするため、放電灯照明装置の全体概要について、図１から図８を参照して説明する。
【００２１】
図６は、筒状ケース６、放電灯１３、取付金具４、放電灯１３のホルダ−１４を含む全体を示している。本発明では、前述の各構成を筒状ケースをベースに一体化している。このため筒状ケース６を、壁面や電飾看板の内部に取り付けるのみで放電灯照明装置の取付が完成する。
【００２２】
筒状ケース６に取付金具４やホルダ−１４の固定について図２を参照して説明する。筒状ケース６の凹形状１の溝の両辺から延出したそれぞれのリブ部ｒ１,ｒ２に挟まれ、溝の開口幅よりも大きな形状を有するナット２を、凹形状１の内方に設け、放電灯ホルダー１４、取付金具４ａをボルト３と前記ナット２とにより筒状ケース６に取り付ける。当然、上記ボルト３とナット２を入れ替えて凹形状１の内方にボルト３の頭部を入れ、取付金具４ａやホルダー１４を介してナット２で固定することもできる。この場合、筒状ケース６の長手方向の何れの位置へも凹形状１の溝に添ってボルト３、ナット２をスライドさせて取付金具４ａやホルダー１４を任意の位置に取り付けることができるため、放電灯１３の取付、筒状ケース６の電飾看板、壁面等への取付の利便性を飛躍的に高めている。
【００２３】
本実施形態に係わる放電灯１３の態様について図４、図５、図８を参照して説明する。
【００２４】
先ず、図４では、放電灯１３を筒状ケース６に三灯取付た状態を示しており、筒状ケース６の両側はそれぞれ取付金具４ｂを介してホルダー１４を取り付け、そこに一つづつ放電灯１３を取り付けている。残る一つの放電灯１３は筒状本体に取付金具４ｂを介さずにホルダー１４で直接取り付けた状態を示している。ホルダー１４を直接取り付ける場合も、取付金具４ｂを介する場合の何れも、筒状ケース６の凹形状１の溝を用いてボルト３とナット２という共通した構成で固定しているため、取付部品の標準化が図れる。
【００２５】
次に、図５では、筒状ケース６に直接放電灯１３のホルダー１４を固定し、放電灯１３を三灯取付た状態を示している。なお、図４、図５では、共に放電灯１３を三灯取り付けた状態を示したが、放電灯１３は一灯でも二灯でも、取付ける放電灯の本数は必要に応じて適宜選択できる任意選択事項である。
【００２６】
また、放電灯照明装置を複数配列して照明する場合の好適な実施形態を図８を参照して説明する。
【００２７】
大型の電飾看板や屋内の照明で、均一な照度が求められる場合、放電灯１３の端部と端部に接続するソケットの部分が発光しないことによりその部分に対応した面が他の面と比べ暗くなる。この照明ムラを改善するため、ニ灯並べて配列しそれぞれの放電灯１３の発光しない部分（放電灯１３の端部とソケットの部分）を相対的にずらして放電灯１３を配置し均一な照度を得ることが考えられる。この場合、図８に示す通り隣り合う放電灯照明装置も含め、対向する放電灯１３の発光しない部分を一定距離ずらして配置する。また、放電灯１３を保持するホルダー１４もそれぞれ同様に一定距離ずらして筒状ケース６に固定する必要があり、本発明の凹形状１の溝を用いた固定手段により、これ等が容易に実現できる。
【００２８】
次に、図７、図２，図３を参照して、放電灯点灯用インバータ回路基板１０の放熱に好適な実施の形態を説明する。
【００２９】
図７に示す放電灯点灯用インバータ基板１０は、主に力率改善用の昇圧チョッパー回路と、放電灯を点灯するインバータ回路、これらを制御するコントロール回路とからなり、この中で、スイッチング素子（FET）９、整流器７、コイル部品（トランス、チョーク）８が動作によって発熱する。本発明では、放電灯点灯用インバータ回路基板１０に搭載される部品で大型の部品であるコイル部品８が少なくとも一つ搭載できる幅を確保した上で、細長い長方形状の基板の長手方向に発熱部品である整流器７、コイル部品８、スイッチング素子９を分散配置する。これにより、局部的な発熱の集中を避けることができるため、放電灯点灯用インバータ回路基板１０に搭載される電子部品の信頼性を低下させることなく装置全体の長寿命化を実現できる。
【００３０】
この場合、放電灯点灯用インバータ回路基板１０の必要な幅は、前記コイル部品８が搭載できる大きさとする必要があり、コイル部品８の大きさは、４０ワット三灯式放電灯照明装置の場合、昇圧チョッパーのコイル部品８は１３０ワット程度の電力供給が必要となる為、この要求を満たすコイル部品８の一辺の長さは略４０ミリとなる。従って、放電灯点灯用インバータ回路基板１０の幅は、図３に示す基板保持リブ１２の勘合部分、絶縁に対するマージン等を加味して略６０ミリ程度で設計が可能である。
【００３１】
また、筒状ケース６は放電灯点灯用インバータ回路基板１０を内蔵できる幅が最低必要となるが、筒状ケース６自体は照明の妨げとならないように可能な限りスリムな形状とするのが良い。この為放電灯点灯用インバータ回路基板１０の幅は可能な限り幅を狭めスリムな形状とすることが望ましい。
【００３２】
図１では、絶縁シート１１を放電灯点灯用インバータ回路基板１０に巻回して絶縁する場合を示している。この場合、熱伝導性に優れたシートとする必要から、絶縁シート１１はポリカーボネート、ＰＥＴ（Ｐｏｌｙ  Ｅｔｈｙｌｅｎ  Ｔｅｒｅｐｈｔａｌａｔｅ）、ポリエチレンが好適に使用できる。また、放電灯点灯用インバータ回路基板１０と巻回した絶縁シート１１とを、シリコンゴム系接着剤、または樹脂系接着剤で固定することにより筒状ケース６内で確実に絶縁状態を保つことができる。
【００３３】
次に、本発明は、筒状ケース６に備える凹形状１の溝によりホルダー１４や取付金具４を取り付ける構成としている為、ホルダー１４や取付金具４を固定するために筒状ケース６の内部に通じるネジ穴を穿つ必要がない。この為、防湿、防滴構造を必要とする場合は、筒状ケース６の両端部のみ密閉すれば足りる。
【００３４】
図６に示すシール部材１５と、シール部材１５を筒状ケース６の端面に押圧して保持する端面覆い金具１６とにより、確実な密閉ができる。なお、筒状ケース６に内蔵された放電灯点灯用インバータ回路基板１０と放電灯１３とを接続する電線は、シール部材１５を挿通する際にすき間なく保持されている。
【００３５】
そして、筒状ケース６は、ポリカーボネート、ＰＥＴ（Ｐｏｌｙ  Ｅｔｈｙｌｅｎ  Ｔｅｒｅｐｈｔａｌａｔｅ）、ポリエチレンの樹脂を用いることもでき、好適にはアルミニウムの引抜材を使用することで、放熱性、防湿性、機械的な強度、耐紫外線に優れた軽量で低価格なものとすることができる。勿論、アルミニウムに代えて鉄や銅の金属を使用することもできる。
【００３６】
以上、最良の実施形態について詳細に説明したが、本発明は、この様な実施形態に限定されるものでは無く、細部の構成、形状、数量、数値等において、本発明の要旨を逸脱しない範囲で、任意に変更、追加、削除することができる。
【００３７】
例えば、図１において、筒状ケース６の断面形状を四角い形状で説明したが、円形、多角形等を用いても良い。また、筒状ケース６を壁面や電飾看板に取り付ける場合、端部覆い金具を用いても良いし、取付金具４を凹形状の溝の任意の位置に取り付けて固定してもよい。
【図面の簡単な説明】
【００３８】
【図１】本発明の第一の実施例を示す断面図である。
【図２】本発明の取付金具取付部の拡大図である。
【図３】本発明の第二の実施例を示す断面図である。
【図４】本発明の放電灯を取り付けた第一の実施形態を示す。
【図５】本発明の放電灯を取り付けた第二の実施形態を示す。
【図６】本発明の外観全体の一実施例を示す図である。
【図７】本発明に用いたインバータ回路基板の一実施例を示す。
【図８】本発明を複数接続した一実施例を示す。
【図９】従来の実施例を示す。
【図１０】従来の実施例を示す。
【符号の説明】
【００３９】
１  凹形状
２  ナット
３  ボルト
４,４ａ,４ｂ  取付金具    
５  フィン
６  筒状ケース
７  整流器
８  コイル部品
９  スイッチング素子
１０  インバータ回路基板
１１  絶縁シート
１２  基板保持リブ
１３  放電灯
１４  ホルダー
１５  シール部材
１６  端面覆い金具
１７  別体インバータ部
１８  フレーム
ｒ１,ｒ２  リブ部  
【図１】
2006059738.tif 000003
【図２】
2006059738.tif 000004
【図３】
2006059738.tif 000005
【図４】
2006059738.tif 000006
【図５】
2006059738.tif 000007
【図６】
2006059738.tif 000008
【図７】
2006059738.tif 000009
【図８】
2006059738.tif 000010
【図９】
2006059738.tif 000011
【図１０】
2006059738.tif 000012